(57)【要約】      （修正有）【課題】良好なコンタクト導電性を実現するとともに、ケーブル端子部での発熱を防止し、端子部位を所望の角度まで折り曲げることができる充電ケーブルを提供する。【解決手段】ボール型のマグネット着脱式充電ケーブルであって、ケーブル１の外端に第１ハウジング２が嵌套され、第１ハウジングの内部に後方スナップ３が挿通され、後方スナップとケーブルとが接続され、後方スナップの内側に発光ＰＣＢが嵌套され、後方スナップの外端に磁石１１が取り付けられ、磁石の中部にコンタクト弾性針が嵌套され、コンタクト弾性針の外端にＰＣＢ片が固定接続され、ＰＣＢ片の外側に弾性片が固定接続され、弾性片と発光ＰＣＢの中部に回転挿入軸６が嵌套され、挿入軸と後方スナップとが接続され、第２ハウジング１０と磁石とが接続され、磁石の外端に第１プラグとモバイル終端が配置され、モバイル終端の末端にＵＳＢソケットが開設され、第１プラグの外端に磁石ホイールが固定接続される。【選択図】図２
0003229063.tif 000002
【実用新案登録請求の範囲】
【請求項１】
ボール型のマグネット着脱式充電ケーブルであって、該充電ケーブルは、ケーブル1、第1
ハウジング2、後方スナップ3、発光PCB4、弾性片5、挿入軸6、ラギング7、PCB片8、コン
タクト弾性針9、第2ハウジング10、磁石11、第1プラグ12、第2プラグ1201、第3プラグ120
2、モバイル終端13、USBソケット14、磁石ホイール15、金属コンタクト部材16および円弧
溝17を含み、ケーブル1の外端に第1ハウジング2が嵌套され取り付けられ、第1ハウジング
2の内部に後方スナップ3が挿通され取り付けられ、また、後方スナップ3とケーブル1とが
互いに接続され、後方スナップ3の内側に発光PCB4が嵌套され取り付けられ、発光PCB4と
ケーブル1の末端とがコンタクトし、後方スナップ3の外端に磁石11が取り付けられ、磁石
11の中部にコンタクト弾性針9が嵌套され取り付けられ、コンタクト弾性針9の外端にPCB
片8が固定的に接続され、PCB片8の外側に弾性片5が固定的に接続され、弾性片5と発光PCB
4とが互いに接続され、弾性片5とPCB片8の外側にラギング7が嵌套され取り付けられ、弾
性片5と発光PCB4の中部に挿入軸6が嵌套され取り付けられ、挿入軸6と後方スナップ3とが
互いに接続され、ラギング7の外側に第2ハウジング10が嵌套され取り付けられ、第2ハウ
ジング10と磁石11とが互いに接続され、磁石11の外端に第1プラグ12が嵌套され取り付け
られ、第1プラグ12の外端にモバイル終端13が配置され、モバイル終端13の末端にUSBソケ
ット14が開設され、且つUSBソケット14と第1プラグ12とが互いに接続され、第1プラグ12
の外端に磁石ホイール15が固定的に接続され、磁石ホイール15の内側に円弧溝17が開設さ
れ、第1プラグ12の外端に金属コンタクト部材16が固定的に接続され、金属コンタクト部
材16と磁石ホイール15とが互いに接続される、ことを特徴とするボール型のマグネット着
脱式充電ケーブル。
【請求項２】
ケーブル1の外部にナイロン、魚糸またはフラッシュ素材が被覆され、ケーブル1が、後方
スナップ3を介して第1ハウジング2と嵌套構造を形成し、後方スナップ3は、挿入軸6を介
して発光PCB4と回転構造を形成し、後方スナップ3の回転範囲が0〜180°とされる、こと
を特徴とする請求項１に記載のボール型のマグネット着脱式充電ケーブル。
【請求項３】
弾性片5は銅製であり、弾性片5が発光PCB4の中心点に関して対称的に配置され、弾性片5
が、挿入軸6を介して後方スナップ3及び発光PCB4と嵌套構造を形成し、弾性片5が、ラギ
ング7とPCB片8の外端を介して発光PCB4と互いに接続される、ことを特徴とする請求項１
に記載のボール型のマグネット着脱式充電ケーブル。
【請求項４】
コンタクト弾性針9、磁石11、磁石ホイール15および金属コンタクト部材16はすべて電極
であって、コンタクト弾性針9及び金属コンタクト部材16は陽極であり、磁石11及び磁石
ホイール15は陰極である、ことを特徴とする請求項１に記載のボール型のマグネット着脱
式充電ケーブル。
【請求項５】
第1プラグ12は第2プラグ1201と第3プラグ1202を備え、第1プラグ12の外端が磁石11と互い
に接続され、磁石11の外端に順に第2プラグ1201と第3プラグ1202が設けられる、ことを特
徴とする請求項１に記載のボール型のマグネット着脱式充電ケーブル。
【請求項６】
第1プラグ12と第2プラグ1201が、金属コンタクト部材16を介して磁石11の内端と嵌套構造
を形成し、第2プラグ1201および第3プラグ1202がいずれも、USBソケット14を介してモバ
イル終端13と係合構造を形成し、モバイル終端13は携帯電話又はタブレットコンピュータ
ーである、ことを特徴とする請求項５に記載のボール型のマグネット着脱式充電ケーブル
。
【請求項７】
ボール型のマグネット着脱式充電ケーブルの組立方法であって、
S1：前部の加工
a. 磁石11、コンタクト弾性針9、PCB片8および弾性片5を冶具に配置して炉を通させて
、次に、順次に磁石11とコンタクト弾性針9およびPCB片8を半田付けにより一体に接合さ
せて、さらに、2グループの弾性片5をPCB片8の外側にハンド付け接合させ、
b. はんだ付け済みの磁石11およびそれと組み立てたものを対応の金型に入れて、ラギ
ング7を射出成形し、
c.ラギング7形生後の磁石11およびそれと組み立てたものを、グルーによリ外套される
第2ハウジング10の内側に貼付けるステップと、
S2：後部の加工
a. ケーブル1を発光PCB4の外端に半田付け接合させ、
b.はんだ付け済みの発光PCB4を対応の金型に入れて、ラギング7を射出成形し、
c. ラギング7形生後の発光PCB4とケーブル1を後方スナップ3の内側まで嵌套してコンタ
クトさせてから、グルーにより第1ハウジング2の内側に貼り付けるステップと、
S3：全体加工
1. 前部の半製品である第2ハウジング10と弾性片5、および後部の半製品である後方ス
ナップ3と第1ハウジング2を、挿入軸6によって一体に固定し、
2. 対応の第1プラグ12と第2ハウジング10内側の磁石11を対向してコンタクトさせると
、製品を完成するステップと、
を含むことを特徴とするボール型のマグネット着脱式充電ケーブルの組立方法。
【考案の詳細な説明】
【技術分野】
【０００１】
本実用新案は、マグネット着脱式充電ケーブルに関わり、特にボール型のマグネット着脱
式充電ケーブル及びその組立て方法に関わる。
【背景技術】
【０００２】
携帯電話に対するユーザからの要求が厳しくなっているうちに、一緒に使われる端子プラ
グ式の充電ケーブルも重要視されている。そして、伝統的な端子式充電ケーブルに代わっ
て、マグネット着脱式の充電やデータ転送ケーブルはよく使われるようになっている。マ
グネット着脱式充電ケーブルとは、磁石の陽極と陰極の対向吸着によって充電をもたらす
。ところが、従来のボール型マグネット着脱式充電ケーブルにおいては、また例えば以下
のような欠陥がある。
【０００３】
1）中国特許登録番号CN209822918Uにおいて回転機能付きのボール型マグネット着脱式ケ
ーブルが公開された。一般的な充電ケーブルやマグネット着脱式の充電ケーブルに比べて
、常規な充電機能を持つとともに、ケーブルの端子部位は所望の角度まで折り曲げること
ができる。主な改良点は、ボールヘッドに関する。もとの陰極が、磁石を貫通したような
構成にされて、動作中で磁石が発熱するため、素子寿命を短くさせるはずなので、使用上
の欠陥がある。
【０００４】
2）従来のボール型のマグネット着脱式充電ケーブルは、その角度の調整過程では、良好
なコンタクト導電性を具備せず、断路などの不都合が生じて、使用者に迷惑をかけること
がある。
【０００５】
上記の問題に対して、従来のマグネット着脱式充電ケーブルの構成をもとでその改良が極
めて望まれている。
【考案の概要】
【０００６】
本考案の目的は、上記のように、動作中の発熱で、長時間にわたって受熱されることによ
り素子寿命が短縮化される、角度調整の過程では良好なコンタクト導電性を具備せず、使
用中で断路等の不都合が生じるという従来技術の問題を解決したボール型のマグネット着
脱式充電ケーブル及びその組立て方法を提供することにある。
【０００７】
上記の目的を実現するために、本考案の技術方案は下記の通りである。
ボール型のマグネット着脱式充電ケーブルであって、該充電ケーブルは、ケーブル、第1
ハウジング、後方スナップ、発光PCB、弾性片、挿入軸、ラギング、PCB片、コンタクト弾
性針、第2ハウジング、磁石、第1プラグ、第2プラグ、第3プラグ、モバイル終端、USBソ
ケット、磁石ホイール、金属コンタクト部材および円弧溝を含み、ケーブルの外端に第1
ハウジングが嵌套され取り付けられ、第1ハウジングの内部に後方スナップが挿通され取
り付けられ、また、後方スナップとケーブルとが互いに接続され、後方スナップの内側に
発光PCBが嵌套され取り付けられ、発光PCBとケーブルの末端とがコンタクトし、後方スナ
ップの外端に磁石が取り付けられ、磁石の中部にコンタクト弾性針が嵌套され取り付けら
れ、コンタクト弾性針の外端にPCB片が固定的に接続され、PCB片の外側に弾性片が固定的
に接続され、弾性片と発光PCBとが互いに接続され、弾性片とPCB片の外側にラギングが嵌
套され取り付けられ、弾性片と発光PCBの中部に挿入軸が嵌套され取り付けられ、挿入軸
と後方スナップとが互いに接続され、ラギングの外側に第2ハウジングが嵌套され取り付
けられ、第2ハウジングと磁石とが互いに接続され、磁石の外端に第1プラグが嵌套され取
り付けられ、第1プラグの外端にモバイル終端が配置され、モバイル終端の末端にUSBソケ
ットが開設され、且つUSBソケットと第1プラグとが互いに接続され、第1プラグの外端に
磁石ホイールが固定的に接続され、磁石ホイールの内側に円弧溝が開設され、第1プラグ
の外端に金属コンタクト部材が固定的に接続され、金属コンタクト部材と磁石ホイールと
が互いに接続される、ことを特徴とするボール型のマグネット着脱式充電ケーブルである
。
【０００８】
好ましくは、ケーブルの外部にナイロン、魚糸またはフラッシュ素材が被覆され、ケーブ
ルが、後方スナップを介して第1ハウジングと嵌套構成を形成し、後方スナップは、挿入
軸を介して発光PCBと回転構成を形成し、後方スナップの回転範囲が0〜180°とされる。
【０００９】
好ましくは、弾性片は銅製であり、弾性片が発光PCBの中心点に関して対称的に配置され
、弾性片が、挿入軸を介して後方スナップ及び発光PCBと嵌套構成を形成し、弾性片が、
ラギングとPCB片の外端を介して発光PCBと互いに接続される。
【００１０】
好ましくは、コンタクト弾性針、磁石、磁石ホイールおよび金属コンタクト部材はすべて
電極であって、コンタクト弾性針及び金属コンタクト部材は陽極であり、磁石及び磁石ホ
イールは陰極である。
【００１１】
好ましくは、第1プラグは第2プラグと第3プラグを備え、第1プラグの外端が磁石と互いに
接続され、磁石の外端に順に第2プラグと第3プラグが設けられる。
【００１２】
好ましくは、第1プラグと第2プラグが、金属コンタクト部材を介して磁石の内端と嵌套構
造を形成し、第2プラグおよび第3プラグがいずれも、USBソケットを介してモバイル終端
と係合構造を形成し、モバイル終端は携帯電話又はタブレットコンピューターである。
【００１３】
ボール型のマグネット着脱式充電ケーブルの組立方法であって、
S1：前部の加工
a. 磁石、コンタクト弾性針、PCB片および弾性片を冶具に配置して炉を通させて、次に
、順次に磁石とコンタクト弾性針およびPCB片を半田付けにより一体に接合させて、さら
に、2グループの弾性片をPCB片の外側にハンド付け接合させ、
b. はんだ付け済みの磁石およびそれと組み立てたものを対応の金型に入れて、ラギン
グを射出成形し、
c.ラギング形生後の磁石およびそれと組み立てたものを、グルーによリ外套される第2
ハウジングの内側に貼付けるステップと、
S2：後部の加工
a. ケーブルを発光PCBの外端に半田付け接合させ、
b.はんだ付け済みの発光PCBを対応の金型に入れて、ラギングを射出成形し、
c. ラギング形生後の発光PCBとケーブルを後方スナップの内側まで嵌套してコンタクト
させてから、グルーにより第1ハウジングの内側に貼り付けるステップと、
S3：全体加工
1. 前部の半製品である第2ハウジングと弾性片、および後部の半製品である後方スナッ
プと第1ハウジングを、挿入軸によって一体に固定し、
2. 対応の第1プラグと第2ハウジング内側の磁石を対向してコンタクトさせると、製品
を完成するステップと、
を含むことを特徴とするボール型のマグネット着脱式充電ケーブルの組立方法である。
【００１４】
従来の技術に比べて、本考案の有益な効果は、下記のようである。
【００１５】
本ボール型マグネット着脱充電ケーブル及び組立方法においては、
1）嵌套されコンタクトさせる磁石を設けて、もとの陰極が、銅弾性片を介してPCBへ接続
されて、良好なコンタクト導電性を現実する。端子間のコンタクト弾性針とプラグ中部の
接点を陽極とし、両端子の磁石を陰極として、動作中で磁石の吸引力によって両端子を接
合させて通電する。また、コンタクトにおける電気安定性を確保するとともに、角度変化
たる回転の機能を付与できる。
2）対称的に配布される弾性片を設け、ケーブル端子のコンタクト位置に移動構成を設け
、銅質の弾性片を介してPCBとの間で嵌套されコンタクトさせる構成によリ、良好なコン
タクト導電性を実現するとともに、ケーブルの端子部で発熱が生じなく、常規な充電機能
を持つとともに、ケーブルの端子部位は所望の角度まで折り曲げることができる。
【図面の簡単な説明】
【００１６】
【図１】本考案にかかるモバイル終端の接続構成の斜視図模式図である。
【図２】本考案にかかるにかかるケーブルの斜視構成模式図である。
【図３】本考案にかかる第1プラグの斜視構成模式図である。
【図４】本考案にかかる第1ハウジングの回転した斜視構成模式図である。
【図５】本考案にかかる発光PCBの構成模式正面図である。
【図６】本考案にかかる後方スナップの横方向に回転した斜視構成模式図である。
【図７】本考案にかかる後方スナップの縦方向に回転した斜視構成模式図である。
【図８】本考案にかかる後方スナップの回転した斜視構成模式図である。
【図９】本考案にかかる後方スナップの分解斜視構成模式図である。
【図１０】本考案にかかる弾性片の組立てに関する斜視構成模式図である。
【図１１】本考案にかかる後方スナップの組立てに関する斜視構成模式図である。
【図１２】本考案にかかる第2ハウジングの組立てに関する斜視構成模式図。
【００１７】
符号の説明
1  ケーブル
2  第1ハウジング
3  後方スナップ（rear snap）
4  発光PCB
5  弾性片
6  挿入軸
7  ラギング
8  PCB片
9  コンタクト弾性針
10  第2ハウジング
11  磁石
12 第1プラグ
1201  第2プラグ
1202  第3プラグ
13  モバイル終端
14  USBソケット
15  磁石ホイール
16  金属コンタクト部材
17  円弧溝
【考案を実施するための形態】
【００１８】
以下、本発明の実施形態について、図面を用いて、本発明の実施形態に係る技術的な態様
を明確にし、完全に説明する。説明した実施形態は、全ての実施形態ではなく、本発明の
一部の実施形態にすぎないことは明らかである。本発明の実施形態に基づいて、当業者は
、創造的な労働がなされていない前提で取得される他のすべての実施形態は、本発明の保
護の範囲に属する。
【００１９】
図1〜12を参考しながら説明する。本考案はボール型のマグネット着脱式充電ケーブルを
提供する。該充電ケーブルは、ケーブル1、第1ハウジング2、後方スナップ3、発光PCB 4
、弾性片5、挿入軸6、ラギング7、PCB片8、コンタクト弾性針9、第2ハウジング10、磁石1
1、第1プラグ12、第2プラグ1201、第3プラグ1202、モバイル終端13、USBソケット14、磁
石ホイール15、金属コンタクト部材16および円弧溝17を含む。ケーブル1の外端に第1ハウ
ジング2が嵌套され取り付けられる。第1ハウジング2の内部に後方スナップ3が挿通され取
り付けられる。また、後方スナップ3とケーブル1とが互いに接続される。後方スナップ3
の内側に発光PCB 4が嵌套され取り付けられる。発光PCB 4とケーブル1の末端とがコンタ
クトする。後方スナップ3の外端に磁石11が取り付けられる。磁石11の中部にコンタクト
弾性針9が嵌套され取り付けられる。コンタクト弾性針9の外端にPCB片8が固定的に接続さ
れる。PCB片8の外側に弾性片5が固定的に接続される。弾性片5と発光PCB 4とが互いに接
続される。弾性片5とPCB片8の外側にラギング7が嵌套され取り付けられる。弾性片5と発
光PCB 4の中部に挿入軸6が嵌套され取り付けられる。挿入軸6と後方スナップ3とが互いに
接続される。ラギング7の外側に第2ハウジング10が嵌套され取り付けられる。第2ハウジ
ング10と磁石11とが互いに接続される。磁石11の外端に第1プラグ12が嵌套され取り付け
られる。第1プラグ12の外端にモバイル終端13が配置される。モバイル終端13の末端にUSB
ソケット14が開設され、且つUSBソケット14と第1プラグ12とが互いに接続される。第1プ
ラグ12の外端に磁石ホイール15が固定的に接続される。磁石ホイール15の内側に円弧溝17
が開設される。第1プラグ12の外端に金属コンタクト部材16が固定的に接続される。金属
コンタクト部材16と磁石ホイール15とが互いに接続される。
【００２０】
ケーブル1の外部にナイロン、魚糸またはフラッシュ素材が被覆される。ケーブル1が、後
方スナップ3を介して第1ハウジング2と嵌套構成を形成する。後方スナップ3は、挿入軸6
を介して発光PCB 4と回転構成を形成するが、後方スナップ3の回転範囲が0〜180°とされ
る。嵌套されコンタクトさせる後方スナップ3と発光PCB 4によって安定的に第2ハウジン
グ10の外端に沿っていずれかの角度にて調整回転ができる。
【００２１】
弾性片5は銅製とされる。弾性片5が発光PCB 4の中心点に関して対称的に配布される。弾
性片5が、挿入軸6を介して後方スナップ3及び発光PCB 4と嵌套構成を形成する。弾性片5
が、ラギング7とPCB片8の外端を介して発光PCB 4と互いに接続される。挿入軸6により嵌
套されコンタクトさせる弾性片5と発光PCB 4によって、電気コンタクトのスムーズ程度を
保証するするとともに、装置の多角度の動作安定性も確保できる。
コンタクト弾性針9、磁石11、磁石ホイール15および金属コンタクト部材16はすべて電極
である（具体的にコンタクト弾性針9及び金属コンタクト部材16は陽極、磁石11及び磁石
ホイール15は陰極）。磁石11が磁石ホイール15に嵌入すると、金属コンタクト部材16が、
コンタクト弾性針9とのコンタクト状態になって、第1プラグ12における接点とケーブル1
内のワイヤに電気転送の中継を提供する。それによって該装置は全体としてモバイル終端
13に正常に供電することを保証する。
【００２２】
第1プラグ12は第2プラグ1201と第3プラグ1202を備える。第1プラグ12の外端が磁石11と互
いに接続される。磁石11の外端に順に第2プラグ1201と第3プラグ1202が設けられる。第1
プラグ12と第2プラグ1201が、金属コンタクト部材16を介して磁石11の内端と嵌套構成を
形成する。第2プラグ1201および第3プラグ1202がいずれも、USBソケット14を介してモバ
イル終端13と係合構成を形成する。モバイル終端13は携帯電話やタブレットとされてもよ
い。接続されようとする電気装置によって、3グループの第1プラグ12、第2プラグ1201ま
たは第3プラグ1202により適切に、安定的にコンタクトを実施する。
【００２３】
ボール型のマグネット着脱式充電ケーブルの組立方法であって、下記のステップを含む。
S1：前部の加工
a. 磁石11、コンタクト弾性針9、PCB片8および弾性片5を冶具に配置して炉を通させて、
ついでに、順次に磁石11とコンタクト弾性針9およびPCB片8を半田付けにより一体に接合
させて、さらに、2グループの弾性片5をPCB片8の外側にハンド付け接合させる。
b. はんだ付け済みの磁石11およびそれと組み立てたものを対応の金型に入れて、ラギン
グ7を射出成形する。
c.ラギング7形生後の磁石11およびそれと組み立てたものを、グルーによリ外套される第2
ハウジング10の内側に貼付ける。
S2：後部の加工
a. ケーブル1を発光PCB 4の外端に半田付け接合させる。
b.はんだ付け済みの発光PCB 4を対応の金型に入れて、ラギング7を射出成形する。
c. ラギング7形生後の発光PCB 4とケーブル1を後方スナップ3の内側まで嵌套してコンタ
クトさせてから、グルーにより第1ハウジング2の内側に貼り付ける。
S3：全体加工
1. 前部の半製品である第2ハウジング10と弾性片5、および後部の半製品である後方スナ
ップ3と第1ハウジング2を、挿入軸6によって一体に固定する。
1. 対応の第1プラグ12と第2ハウジング10内側の磁石11を対向してコンタクトさせると、
製品を完成する。
【００２４】
実施例：
図1、図2、図3および図8〜12を参考して説明する。まず、本装置を動作位置に配置して、
使用者により第1プラグ12、第2プラグ1201あるいは第3プラグ1202をUSBソケット14を介し
てモバイル終端13の端部にコンタクトさせる。これでは、第1プラグ12、第2プラグ1201、
第3プラグ1202はMIcro-usbインターフェース、Type-cインターフェース、30pinインター
フェースやlightningインターフェース中のいずれか1つでも良い。そして、接続しょうと
するケーブル1を磁石11内側のコンタクト弾性針9を介して第1プラグ12末端の磁石ホイー
ル15の内側にコンタクトさせばよい。磁石11が磁石ホイール15中に嵌入すると、金属コン
タクト部材16が、コンタクト弾性針9とのコンタクト状態になって、第1プラグ12における
接点とケーブル1内のワイヤに電気転送の中継を提供する。それによって該装置は全体と
してモバイル終端13に正常に供電することを保証する。
【００２５】
図1および図4〜8を参考して説明する。ケーブル1に対して角度調節を行おうとする場合に
、手で第1ハウジング2を持ちながらそれを後方スナップ3を通して、第2ハウジング10の外
端に沿っていずれの角度にて回転させばよい。この時は、後方スナップ3の内側に嵌套さ
れコンタクトさせる発光PCB 4が、挿入軸6によって弾性片5の内端に沿って同期に支持さ
れながら回転する。それとともに、発光PCB 4と弾性片5が安定的に第2ハウジング10の内
側に沿って多角度の回転調節を実施可能である。所定の角度に回転すると、ケーブル1と
第1ハウジング2の全体としての回動角度および回動面も相応に変化する。これによリ、任
意に充電ケーブルの使用状態での角度を調整する目的を達成できる。ケーブル1全体が、
後方スナップ3と第2ハウジング10の接続位置でいずれの角度にて回転可能にさせる。また
、銅質の弾性片5とPCB片8の間の嵌套コンタクト状態にすることによって、良好なコンタ
クト導電性を実現する。そして、ケーブルの端子で発熱が生じなく、常規な充電機能を持
つとともに、ケーブルの端子部位は所望の角度まで折り曲げることができる。これによっ
て、装置全体の実用性を向上する。
【００２６】
本明細書で詳細に説明されていない内容は、当業者にとって公知の先行技術である。
本発明の実施形態を図示し説明したが、当業者にとっては、本発明の原理および精神から
逸脱しない場合、これらの実施形態を様々に変化、修正、置換、変形を行うことができ、
本発明の範囲は、特許請求の範囲およびそれらの均等物によって限定されることが理解で
きる。
【図１】
0003229063.tif 000003
【図２】
0003229063.tif 000004
【図３】
0003229063.tif 000005
【図４】
0003229063.tif 000006
【図５】
0003229063.tif 000007
【図６】
0003229063.tif 000008
【図７】
0003229063.tif 000009
【図８】
0003229063.tif 000010
【図９】
0003229063.tif 000011
【図１０】
0003229063.tif 000012
【図１１】
0003229063.tif 000013
【図１２】
0003229063.tif 000014
【手続補正書】
【提出日】令和2年8月27日(2020.8.27)
【手続補正１】
【補正対象書類名】実用新案登録請求の範囲
【補正対象項目名】全文
【補正方法】変更
【補正の内容】
【実用新案登録請求の範囲】
【請求項１】
ボール型のマグネット着脱式充電ケーブルであって、該充電ケーブルは、ケーブル1、第1
ハウジング2、後方スナップ3、発光PCB4、弾性片5、挿入軸6、ラギング7、PCB片8、コン
タクト弾性針9、第2ハウジング10、磁石11、第1プラグ12、第2プラグ1201、第3プラグ120
2、モバイル終端13、USBソケット14、磁石ホイール15、金属コンタクト部材16および円弧
溝17を含み、ケーブル1の外端に第1ハウジング2が嵌套され取り付けられ、第1ハウジング
2の内部に後方スナップ3が挿通され取り付けられ、また、後方スナップ3とケーブル1とが
互いに接続され、後方スナップ3の内側に発光PCB4が嵌套され取り付けられ、発光PCB4と
ケーブル1の末端とがコンタクトし、後方スナップ3の外端に磁石11が取り付けられ、磁石
11の中部にコンタクト弾性針9が嵌套され取り付けられ、コンタクト弾性針9の外端にPCB
片8が固定的に接続され、PCB片8の外側に弾性片5が固定的に接続され、弾性片5と発光PCB
4とが互いに接続され、弾性片5とPCB片8の外側にラギング7が嵌套され取り付けられ、弾
性片5と発光PCB4の中部に挿入軸6が嵌套され取り付けられ、挿入軸6と後方スナップ3とが
互いに接続され、ラギング7の外側に第2ハウジング10が嵌套され取り付けられ、第2ハウ
ジング10と磁石11とが互いに接続され、磁石11の外端に第1プラグ12が嵌套され取り付け
られ、第1プラグ12の外端にモバイル終端13が配置され、モバイル終端13の末端にUSBソケ
ット14が開設され、且つUSBソケット14と第1プラグ12とが互いに接続され、第1プラグ12
の外端に磁石ホイール15が固定的に接続され、磁石ホイール15の内側に円弧溝17が開設さ
れ、第1プラグ12の外端に金属コンタクト部材16が固定的に接続され、金属コンタクト部
材16と磁石ホイール15とが互いに接続される、ことを特徴とするボール型のマグネット着
脱式充電ケーブル。
【請求項２】
ケーブル1の外部にナイロン、魚糸またはフラッシュ素材が被覆され、ケーブル1が、後方
スナップ3を介して第1ハウジング2と嵌套構造を形成し、後方スナップ3は、挿入軸6を介
して発光PCB4と回転構造を形成し、後方スナップ3の回転範囲が0〜180°とされる、こと
を特徴とする請求項１に記載のボール型のマグネット着脱式充電ケーブル。
【請求項３】
弾性片5は銅製であり、弾性片5が発光PCB4の中心点に関して対称的に配置され、弾性片5
が、挿入軸6を介して後方スナップ3及び発光PCB4と嵌套構造を形成し、弾性片5が、ラギ
ング7とPCB片8の外端を介して発光PCB4と互いに接続される、ことを特徴とする請求項１
に記載のボール型のマグネット着脱式充電ケーブル。
【請求項４】
コンタクト弾性針9、磁石11、磁石ホイール15および金属コンタクト部材16はすべて電極
であって、コンタクト弾性針9及び金属コンタクト部材16は陽極であり、磁石11及び磁石
ホイール15は陰極である、ことを特徴とする請求項１に記載のボール型のマグネット着脱
式充電ケーブル。
【請求項５】
第1プラグ12は第2プラグ1201と第3プラグ1202を備え、第1プラグ12の外端が磁石11と互い
に接続され、磁石11の外端に順に第2プラグ1201と第3プラグ1202が設けられる、ことを特
徴とする請求項１に記載のボール型のマグネット着脱式充電ケーブル。
【請求項６】
第1プラグ12と第2プラグ1201が、金属コンタクト部材16を介して磁石11の内端と嵌套構造
を形成し、第2プラグ1201および第3プラグ1202がいずれも、USBソケット14を介してモバ
イル終端13と係合構造を形成し、モバイル終端13は携帯電話又はタブレットコンピュータ
ーである、ことを特徴とする請求項５に記載のボール型のマグネット着脱式充電ケーブル
。